【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
複数の吐出口が配列された吐出口列を有する記録ヘッドを記録媒体の同一領域に対して複数回走査させ、前記同一領域に記録すべき画像データを前記複数回の走査で記録するインクジェット記録装置であって、
前記同一領域に記録すべき画像データを前記複数回の走査それぞれで記録すべき画像データに分割するためのマスクを複数種類格納したメモリと、
前記記録媒体の端部に余白を設けずに記録を行う縁無し記録が設定されているかどうかを判別するための判別手段と、
前記判別手段の判別結果に従って、前記メモリに格納される複数種類のマスクから１種類のマスクを選択するための選択手段とを有し、
前記選択手段は、前記縁無し記録が設定されている場合、前記吐出口列の端部の吐出口の吐出比率が中央部の吐出口の吐出比率よりも低い第１のマスクを選択し、前記縁無し記録が設定されていない場合、前記端部の吐出口の吐出比率が前記中央部の吐出口の吐出比率以下である第２のマスクを選択し、
前記第１のマスクは、前記第２のマスクに比して、前記中央部の吐出口の吐出比率と前記端部の吐出口の吐出比率との差が大きいことを特徴とするインクジェット記録装置。
【請求項２】
前記第１のマスクは、前記中央部の吐出口から端部の吐出口に向かうに従って吐出比率が徐々に小さくなるマスクであり、
前記第２のマスクは、前記中央部の吐出口と端部の吐出口との吐出比率が同じマスクであることを特徴とする請求項１に記載のインクジェット記録装置。
【請求項３】
前記第１および第２のマスクは、夫々、前記中央部の吐出口から端部の吐出口に向かうに従って吐出比率が徐々に小さくなるマスクであることを特徴とする請求項１に記載のインクジェット記録装置。
【請求項４】
複数の吐出口が配列された吐出口列を有する記録ヘッドを記録媒体の同一領域に対して複数回走査させ、前記同一領域に記録すべき画像データを前記複数回の走査で記録するインクジェット記録装置であって、
前記記録媒体の端部に余白を設けずに記録を行う縁無し記録が設定されているかどうかを判別する判別手段と、
前記判別手段の判別結果に従って、前記吐出口列の各吐出口の吐出比率を決定する決定手段とを有し、
前記決定手段は、前記縁無し記録が設定されている場合、前記吐出口列の端部の吐出口の吐出比率が中央部の吐出口の吐出比率よりも低くなるように、且つ前記中央部の吐出口の吐出比率と前記端部の吐出口の吐出比率との差が第１の差となるように、前記吐出口列の各吐出口の吐出比率を決定し、
前記縁無し記録が設定されていない場合、前記端部の吐出口の吐出比率が前記中央部の吐出口の吐出比率以下となるように、且つ前記中央部の吐出口の吐出比率と前記端部の吐出口の吐出比率との差が前記第１の差よりも小さい第２の差となるように、前記吐出口列の各吐出口の吐出比率を決定することを特徴とするインクジェット記録装置。
【請求項５】
前記決定手段は、前記同一領域に記録すべき画像データを前記複数回の走査それぞれで記録すべき画像データに分割するためのマスクを用いることで、前記吐出口列の各吐出口の吐出比率を決定することを特徴とする請求項４に記載のインクジェット記録装置。
【請求項６】
複数の吐出口が配列された吐出口列を有する記録ヘッドを記録媒体の同一領域に対して複数回走査させ、前記同一領域に記録すべき画像データを前記複数回の走査で記録するインクジェット記録装置であって、
前記同一領域に記録すべき画像データを前記複数回の走査それぞれで記録すべき画像データに分割するためのマスクを複数種類格納したメモリと、
前記記録媒体の余白幅が閾値未満かどうかを判別するための判別手段と、
前記判別手段の判別結果に従って、前記メモリに格納される複数種類のマスクから１種類のマスクを選択するための選択手段とを有し、
前記選択手段は、前記余白幅が閾値未満であると判別された場合、前記吐出口列の端部の吐出口の吐出比率が中央部の吐出口の吐出比率よりも低い第１のマスクを選択し、前記余白幅が閾値未満でないと判別された場合、前記端部の吐出口の吐出比率が前記中央部の吐出口の吐出比率以下である第２のマスクを選択し、
前記第１のマスクは、前記第２のマスクに比して、前記中央部の吐出口の吐出比率と前記端部の吐出口の吐出比率との差が大きいことを特徴とするインクジェット記録装置。
【請求項７】
複数の吐出口が配列された吐出口列を有する記録ヘッドを記録媒体の同一領域に対して複数回走査させ、前記同一領域に記録すべき画像データを前記複数回の走査で記録するインクジェット記録装置において実行されるインクジェット記録方法であって、
前記インクジェット記録装置の判別手段が、前記記録媒体の端部に余白を設けずに記録を行う縁無し記録が設定されているかどうかを判別する判別工程と、
前記インクジェット記録装置の選択手段が、前記同一領域に記録すべき画像データを前記複数回の走査それぞれで記録すべき画像データに分割するためのマスクを複数種類格納したメモリから、前記判別工程の判別結果に従って、１種類のマスクを選択するための選択工程とを有し、
前記選択工程では、前記縁無し記録が設定されている場合、前記吐出口列の端部の吐出口の吐出比率が中央部の吐出口の吐出比率よりも低い第１のマスクを選択し、前記縁無し記録が設定されていない場合、前記端部の吐出口の吐出比率が前記中央部の吐出口の吐出比率以下である第２のマスクを選択し、
前記第１のマスクは、前記第２のマスクに比して、前記中央部の吐出口の吐出比率と前記端部の吐出口の吐出比率との差が大きいことを特徴とするインクジェット記録方法。
【請求項８】
複数の吐出口が配列された吐出口列を有する記録ヘッドを記録媒体の同一領域に対して複数回走査させ、前記同一領域に記録すべき画像データを前記複数回の走査で記録するインクジェット記録装置において実行されるインクジェット記録方法であって、
前記インクジェット記録装置の判別手段が、前記記録媒体の余白幅が閾値未満かどうかを判別する判別工程と、
前記インクジェット記録装置の選択手段が、前記同一領域に記録すべき画像データを前記複数回の走査それぞれで記録すべき画像データに分割するためのマスクを複数種類格納したメモリから、前記判別工程の判別結果に従って、１種類のマスクを選択するための選択工程とを有し、
前記選択工程では、前記余白幅が閾値未満であると判別された場合、前記吐出口列の端部の吐出口の吐出比率が中央部の吐出口の吐出比率よりも低い第１のマスクを選択し、前記余白幅が閾値未満でないと判別された場合、前記端部の吐出口の吐出比率が前記中央部の吐出口の吐出比率以下である第２のマスクを選択し、
前記第１のマスクは、前記第２のマスクに比して、前記中央部の吐出口の吐出比率と前記端部の吐出口の吐出比率との差が大きいことを特徴とするインクジェット記録方法。
【手続補正２】
【補正対象書類名】明細書
【補正対象項目名】０００８
【補正方法】変更
【補正の内容】
【０００８】
上記目的を達成させるための本発明は、複数の吐出口が配列された吐出口列を有する記録ヘッドを記録媒体の同一領域に対して複数回走査させ、前記同一領域に記録すべき画像データを前記複数回の走査で記録するインクジェット記録装置であって、
前記同一領域に記録すべき画像データを前記複数回の走査それぞれで記録すべき画像データに分割するためのマスクを複数種類格納したメモリと、
前記記録媒体の端部に余白を設けずに記録を行う縁無し記録が設定されているかどうかを判別するための判別手段と、
前記判別手段の判別結果に従って、前記メモリに格納される複数種類のマスクから１種類のマスクを選択するための選択手段とを有し、
前記選択手段は、前記縁無し記録が設定されている場合、前記吐出口列の端部の吐出口の吐出比率が中央部の吐出口の吐出比率よりも低い第１のマスクを選択し、前記縁無し記録が設定されていない場合、前記端部の吐出口の吐出比率が前記中央部の吐出口の吐出比率以下である第２のマスクを選択し、
前記第１のマスクは、前記第２のマスクに比して、前記中央部の吐出口の吐出比率と前記端部の吐出口の吐出比率との差が大きいことを特徴とする。
【手続補正３】
【補正対象書類名】明細書
【補正対象項目名】０００９
【補正方法】削除
【補正の内容】